(57)【要約】【課題】ネットワークプリンタで印刷する操作を開始してから印刷が完了するまでの時間を短縮したネットワークプリントサービスシステムを提供する。また、利用者が利用料金を支払う場合、小銭等の現金を用意する必要がないネットワークプリントサービスシステムを提供する。【解決手段】端末１２から印刷データサーバ６に備える印刷登録データベース７に登録した印刷データをネットワークプリンタ１により印刷するネットワークプリントサービスシステムにおいて、印刷予約手段により印刷予約をして、印刷データサーバ６に備えた印刷予約管理データベース８に登録した印刷データを指定した印刷店舗のネットワークプリンタ１に備えた印刷予約データベース２にダウンロードし、印刷料金徴収手段により印刷料金を徴収して印刷データを印刷することを特徴とする。【選択図】        図１０
2006155259.tif 000002
【特許請求の範囲】
【請求項１】
端末から印刷データサーバに備える印刷登録データベースに登録した印刷データをネットワークプリンタにより印刷するネットワークプリントサービスシステムにおいて、
印刷予約手段により印刷予約をして、印刷データサーバに備えた印刷予約管理データベースに登録した印刷データをダウンロードして格納する印刷予約データベースをネットワークプリンタに備えたことを特徴とするネットワークプリントサービスシステム。
【請求項２】
請求項１のネットワークプリントサービスシステムにおいて、
前記印刷予約手段を携帯端末とし、この携帯端末で入力した登録番号および印刷店舗を印刷データサーバへ送信し、該印刷データサーバは受信した登録番号に基づいて印刷登録データベースから抽出した印刷データと印刷店舗を印刷予約管理データベースに登録して印刷予約することを特徴とするネットワークプリントサービスシステム。
【請求項３】
請求項１のネットワークプリントサービスシステムにおいて、
前記印刷予約手段を自動取引装置とし、この自動取引装置で入力した登録番号および印刷店舗を印刷データサーバへ送信し、該印刷データサーバは受信した登録番号に基づいて印刷登録データベースから抽出した印刷データと印刷店舗を印刷予約管理データベースに登録して印刷予約することを特徴とするネットワークプリントサービスシステム。
【請求項４】
端末から印刷データサーバに備える印刷登録データベースに登録した印刷データをネットワークプリンタにより印刷するネットワークプリントサービスシステムにおいて、
印刷料金徴収手段により印刷料金を徴収して印刷データを印刷することを特徴とするネットワークプリントサービスシステム。
【請求項５】
請求項１、請求項２または請求項３のネットワークプリントサービスシステムにおいて、
印刷料金徴収手段により印刷料金を徴収して印刷データを印刷することを特徴とするネットワークプリントサービスシステム。
【請求項６】
請求項４または請求項５のネットワークプリントサービスシステムにおいて、
前記印刷料金徴収手段をＩＣカードリーダライタとし、ＩＣカードから印刷料金を徴収することを特徴とするネットワークプリントサービスシステム。
【請求項７】
請求項４または請求項５のネットワークプリントサービスシステムにおいて、
前記印刷料金徴収手段を携帯端末としたことを特徴とするネットワークプリントサービスシステム。
【請求項８】
請求項４または請求項５のネットワークプリントサービスシステムにおいて、
前記印刷料金徴収手段を自動取引装置とし、挿入したカードの銀行口座またはクレジット口座から印刷料金を引き落とし、取扱金額、印刷場所および予約番号を印刷した明細票を発行することを特徴とするネットワークプリントサービスシステム。
【請求項９】
請求項８のネットワークプリントサービスシステムにおいて、
自動取引装置でした印刷予約時に付与された印刷予約番号を自動取引装置から受信して携帯端末に記憶し、その印刷予約番号をネットワークプリンタが該携帯端末から受信することを特徴とするネットワークプリントサービスシステム。
【請求項１０】
利用者の操作により入金取引または出金取引を行なう自動取引装置において、
挿入したカードの銀行口座またはクレジット口座から印刷料金を引き落とし、入力された登録番号および印刷店舗を印刷データサーバへ送信して印刷予約することを特徴とする自動取引装置。
【請求項１１】
請求項１０の自動取引装置において、
取扱金額、印刷場所および予約番号を印刷した明細票を発行することを特徴とする自動取引装置。
【請求項１２】
請求項１０または請求項１１の自動取引装置において、
印刷予約時に付与された印刷予約番号を携帯端末へ送信することを特徴とする自動取引装置。
【発明の詳細な説明】
【技術分野】
【０００１】
本発明は、ネットワークプリントサービスシステムおよび自動取引装置に関し、特に、携帯端末および自動取引装置等を利用して印刷予約および印刷料金の徴収を行なうネットワークプリントサービスシステムおよび自動取引装置に関する。
【背景技術】
【０００２】
近年、自宅または自宅以外の場所からインターネットに接続されたパーソナルコンピュータや携帯端末等を利用してコンビニエンスストア等に設置されたネットワークプリンタで利用者が希望する書類を印刷するネットワークプリントサービスシステムが提供されている。
このような状況の下で、個人で印刷したい電子データや企業向けに宣伝したい商品カタログ電子データをインターネットに接続されたコンビニエンスストア等で設置稼動しているネットワークプリンタを用いて印刷することでプリンタを所有していない個人ユーザや急な外出先から携帯端末から時と場所にとらわれることなく必要な印刷物を入手できる。また、ネットワークプリンタの所有者に対してはデータ量や出力回数に応じて利用料を現金や利用者の銀行口座から引き落として支払うネットワークプリントサービスが提案されている（例えば、特許文献１参照）。
【特許文献１】特開２００３−６７１６４号公報（段落「００１２」〜段落「００４１」、図１、図２）
【発明の開示】
【発明が解決しようとする課題】
【０００３】
しかしながら、上述した従来の技術においては、利用者がネットワークプリントサービスを利用して書類を印刷する場合、印刷端末でユーザ名およびパスワード等を入力した後に印刷データをサーバーコンピュータからダウンロードして印刷を開始するため、印刷が完了するまでに時間がかかるという問題がある。
また、利用者の銀行口座から利用料金を引き落とす場合にあっては、その銀行口座を予め登録しておかなければならず手間がかかり煩わしいという問題がある。利用者が利用料金を現金で支払う場合であっても、手間がかかり煩わしいという問題がある。
【０００４】
本発明は、このような問題を解決することを課題とする。
【課題を解決するための手段】
【０００５】
そのため、本発明は、端末から印刷データサーバに備える印刷登録データベースに登録した印刷データをネットワークプリンタにより印刷するネットワークプリントサービスシステムにおいて、印刷予約手段により印刷予約をして、印刷データサーバに備えた印刷予約管理データベースに登録した印刷データを指定した印刷店舗のネットワークプリンタに備えた印刷予約データベースにダウンロードすることを特徴とし、印刷料金徴収手段により印刷料金を徴収して印刷データを印刷することを特徴とし、前記印刷料金徴収手段をＩＣカードリーダライタとし、ＩＣカードから印刷料金を徴収することを特徴とする。
【０００６】
また、前記印刷料金徴収手段を携帯端末としたことを特徴とする。
さらに、前記印刷料金徴収手段を自動取引装置とし、挿入したカードの銀行口座またはクレジット口座から印刷料金を引き落とし、取扱金額、印刷店舗および予約番号を印刷した明細票を発行することを特徴とする。
【発明の効果】
【０００７】
このようにした本発明は、利用者がネットワークプリントサービスを利用して書類を印刷する場合、利用者が印刷予約をしたときに印刷データを印刷データサーバからネットワークプリンタへダウンロードするため、ネットワークプリンタで印刷する操作を開始してから印刷が完了するまでの時間が短縮できるという効果が得られる。
また、利用者は予め利用料金を引き落とす銀行口座を登録しておく必要がなく利用者が選択した銀行口座やクレジット口座から利用料金を引き落とすことができるという効果が得られる。
【０００８】
さらに、利用者が利用料金を支払う場合、小銭等の現金を用意する必要がなくなり手間がかからないという効果が得られる。
【発明を実施するための最良の形態】
【０００９】
以下、図面を参照して本発明によるネットワークプリントサービスシステムおよび自動取引装置の実施例を説明する。
【実施例】
【００１０】
図１は第１の実施例を示すシステム構成のブロック図、図２は第１の実施例を示すネットワークプリンタのブロック図、図３は第１の実施例を示す印刷登録データベースの説明図、図４は第１の実施例を示す印刷予約管理データベースの説明図、図５は第１の実施例を示す印刷予約データベースの説明図、図６は第１の実施例を示すフローチャート、図７は第１の実施例を示す携帯端末の操作画面の説明図である。
【００１１】
図１において、１はネットワークプリンタであり、コンビニエンスストア等の誰でも出入りすることができる場所に設置された印刷装置である。このネットワークプリンタ１は公衆回線５を介して他の装置と相互に通信可能に接続されており、利用者４の操作により他の装置からダウンロードした文書等を印刷することができる。また、コピー機としての機能も有するものである。
【００１２】
２は印刷予約データベースであり、ネットワークプリンタ１に備えられ公衆回線５を介して他の装置からダウンロードして印刷を予約した印刷データを登録するデータベースである。利用者４の操作により所望の印刷データをネットワークプリンタ１で印刷することができる。
３はＩＣカードリーダライタであり、ＩＣカードからデータを読取り、また、ＩＣカードにデータを書き込むことができるものである。このＩＣカードは通常の電子マネーの機能を有し、利用者が予め入金しておいた金額から必要な金額を出金することができ、また、必要な金額を入金することができるものである。なお、ＩＣカードは非接触型ＩＣカードまたは接触型ＩＣカードのどちらであってもよい。このＩＣカードリーダライタ３はネットワークプリンタ１に相互に通信可能に接続され、利用者４がＩＣカードをセットし印刷を開始する操作をすると印刷に要した金額をＩＣカードから出金し印刷料金の支払いを行い、その結果をネットワークプリンタ１に通知することができるものである。
【００１３】
６は印刷データサーバであり、ネットワークプリントサービスを提供する企業等のデータセンタ等に設置され、データベースを備えたサーバーコンピュータである。この印刷データサーバ６は公衆回線５を介してネットワークプリンタ１と相互に通信可能に接続され、また、インターネット９にも接続されているものであって、ある情報に基づいてデータベースを検索し、その結果を抽出することができるものである。さらに、ウェブサーバ機能を有し、クライアントからの要求により各種アプリケーションプログラムを実行することが可能である。
【００１４】
なお、印刷データサーバ６はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。
【００１５】
７は印刷登録データベースであり、印刷データサーバ６に備えられネットワークプリンタ１で印刷する文書等の電子データ等を登録しておくものである。また、８は印刷予約管理データベースであり、印刷データサーバ６に備えられネットワークプリンタ１で印刷するコンビニエンスストアの場所等の予約した情報等を登録しておくものである。なお、詳細は後述する。
【００１６】
１０は端末であり、家庭や企業等に設置されたパーソナルコンピュータ等である。この端末１０はインターネット９に接続され、登録者１１の操作によりネットワークプリンタ１で印刷する文書等の印刷データを印刷データサーバ６に備えられた印刷登録データベース７に登録することができる。
１２は携帯端末であり、利用者４が所持する携帯電話やＰＨＳ（Ｐｅｒｓｏｎａｌ  Ｈａｎｄｙｐｈｏｎｅ  Ｓｙｓｔｅｍ）等である。この携帯端末１２は、既に登録者１１が端末１０により印刷データサーバ６に登録した印刷データをコンビニエンスストアの場所等を指定して印刷の予約をすることができる印刷予約手段である。
【００１７】
なお、登録者１１と利用者４は別人であってもよく、同一人物であってもよい。
図２において、ネットワークプリンタ１は利用者操作表示部２１、印刷部２２、ＩＣカードリーダライタ通信部２３、記憶部２４、制御部２５および通信部２６を備えている。また、図示しないスキャナ部を備えコピー機能も有している。
利用者操作表示部２１は、ＣＲＴディスプレイや液晶ディスプレイ等の表示部上にタッチパネルを配置し利用者４が入力操作等を行なう手段であり、また、利用者の操作を誘導する画面等を表示する手段である。
【００１８】
印刷部２２は、印刷用に編集されたデータを印刷用紙に印刷する制御を行なう手段である。これにより文字、図形、写真等を印刷することができ、また、白黒印刷またはカラー印刷等ができる。
ＩＣカードリーダライタ通信部２３は、ＩＣカードリーダライタ３と情報の送受信を制御する手段である。ＩＣカードリーダライタ３がＩＣカードから読取った情報を受信し、また、ある情報をＩＣカードリーダライタ３へ送信しＩＣカードに書き込むことができる。
【００１９】
記憶部２４は、メモリおよび磁気ディスク等で構成され印刷予約データベース２を備えている。この印刷予約データベース２には利用者４により印刷予約された印刷データ等が登録され、利用者４が利用者操作表示部２１を操作することによりこの印刷データを印刷用紙に印刷することができる。
制御部２５は、利用者操作表示部２１、印刷部２２、ＩＣカードリーダライタ通信部２３、記憶部２４および通信部２６の全体を記憶部２４に記憶されたソフトウェアにより制御する。また、この制御部２５には印刷データ編集部２５１を備え、印刷データサーバ６から受信して印刷予約データベース２に登録した印刷データを印刷用に編集する機能を有する。
【００２０】
通信部２６は、公衆回線５に接続された印刷データサーバ６等と情報の送受信を制御する手段である。印刷データサーバ６から印刷データ等を受信し、また、受信した印刷データの印刷が終了するとその旨の情報等を印刷データサーバ６へ送信する。
図３において、印刷データサーバ６に備えられた印刷登録データベース７のレコードは登録番号３１、登録暗証３２および印刷データ３３で構成されている。この印刷登録データベース７に登録者１１が印刷データ３３を登録することによりネットワークプリンタ１での印刷が可能になる。
【００２１】
登録番号３１は登録者１１が端末１０を使用してネットワークプリンタ１で印刷する印刷データ３３を印刷登録データベース７に登録したとき、印刷データサーバ６が付与する番号であって、それを記憶したものである。この登録番号３１は印刷登録データベース７で一意であればよく通番であってもよい。
登録暗証３２は登録者１１が印刷データ３３を印刷登録データベース７に登録したとき印刷データサーバ６が発行するランダムなパスワードである。印刷データ３３を後述する印刷予約を行なう場合に必要になるパスワードであってセキュリティを確保するためのものである。なお、この登録暗証は登録者１１が設定するものであってもよい。
【００２２】
印刷データ３３は登録者１１がネットワークプリンタ１で印刷する文書等の電子データ列である。この印刷データ３３をネットワークプリンタ１へダウンロードすることによりネットワークプリンタ１で印刷用紙に印刷することが可能なる。
図４において、印刷データサーバ６に備えられた印刷予約管理データベース８のレコードは登録番号３１、印刷店舗４１、印刷予約番号４３、予約暗証４４、有効期限４５および印刷経過４６で構成されている。利用者４が予め携帯端末１２を使用して印刷データ３３を印刷するコンビニエンスストアの場所等を予約（以下、「印刷予約」という。）するとこの印刷予約管理データベース８に登録される。この印刷予約管理データベース８のレコード内の登録番号３１をキーにして印刷登録データベース７を検索できるように関連付けている。
【００２３】
印刷店舗４１はコンビニエンスストア等の店番号であって、印刷する店舗を示す。印刷データ３３を印刷するネットワークプリンタ１が設置された店舗を示すものである。
印刷予約番号４３は利用者４が印刷登録データベース７に登録された印刷データ３３を印刷予約したときに印刷データサーバが付与する番号である。この印刷予約番号４３は印刷登録データベース７で一意であればよく通番であってもよい。
【００２４】
予約暗証４４は利用者４が印刷データ３３を印刷予約したとき設定するパスワードである。なお、印刷データサーバ６が発行するランダムなパスワードであってもよい。
有効期限４５は登録した印刷予約を無効にする年月日時分である。例えば、印刷予約をしたときから２４時間経過しても印刷がされない場合に印刷予約を無効にするときは印刷予約をした時間の２４時間後の年月日時分を記憶する。
【００２５】
印刷経過４６はネットワークプリンタ１での印刷データ３３の印刷状況を記憶する。例えば、未印刷、印刷済み等の状況を記憶する。
図５において、ネットワークプリンタ１に備えられた印刷予約データベース２のレコードは印刷予約番号４３、予約暗証４４、有効期限４５および印刷データ３３で構成されている。利用者４が利用者操作表示部２１から入力した印刷予約番号および予約暗証と印刷予約番号４３および予約暗証４４が一致した場合に印刷データ３３をネットワークプリンタ１が印刷する。
【００２６】
上述した構成の作用について図６の第１の実施例を示すフローチャートのＳで表すステップにしたがって説明する。なお、以下に説明する各部の動作は、図示しない記憶部に格納されたプログラム（ソフトウェア）に基づいて図示しない制御部により制御される。
Ｓ６０１：登録者１１は端末１０においてウェブブラウザ等を使用し印刷する文書等の印刷データを印刷データサーバ６に登録する操作を行なう。端末１０はインターネット９を介して印刷する文書等の印刷データを印刷データサーバ６に送信する。
【００２７】
Ｓ６０２：印刷データを受信した印刷データサーバ６は登録番号および登録暗証を付与し印刷データとともに印刷登録データベース７に格納する。付与した登録番号および登録暗証は印刷登録データベース７の登録番号３１および登録暗証３２に格納すると共に端末１０に表示して登録者１１に知らせる。また、受信した印刷データは印刷データ３３に格納する。
【００２８】
Ｓ６０３：利用者４は登録者１１から上記登録番号と登録暗証を知得して携帯端末１２において印刷予約の操作を行なう。ここで、図７を使用して利用者４が行なう操作を説明する。
画面７１において、利用者４が印刷する文書等の登録番号および登録暗証を入力するとその登録番号および登録暗証は印刷データサーバ６に送信される。印刷データサーバ６は受信した登録番号および登録暗証と印刷登録データベース７の登録番号３１および登録暗証３２を照合する。一致した場合は利用者４による印刷予約を受け付け、不一致の場合は印刷予約を拒否する。印刷予約を受け付けると携帯端末１２の画面に印刷場所を検索する画面７２を表示する。
【００２９】
画面７２において、利用者４は印刷場所の住所を入力し検索ボタンを選択する。携帯端末１２は入力された住所を印刷データサーバ６に送信し、それを受信した印刷データサーバ６は入力された住所付近に存在するコンビニエンスストアの店舗名を検索する。印刷データサーバ６は検索した結果を携帯端末１２へ送信し、受信した携帯端末１２はその結果を画面７３に表示する。
【００３０】
画面７３において、利用者４が店舗を選択するとその情報が印刷データサーバ６に送信される。印刷データサーバ６は受信した店舗の店番を印刷登録データベース７の印刷店舗４１に格納する。次に、携帯端末１２は画面７４を表示する。
画面７４において、利用者４は予約暗証を設定し入力するとその予約暗証が印刷データサーバ６に送信される。印刷データサーバ６は受信した予約暗証を印刷登録データベース７の予約暗証４４に格納する。次に、携帯端末１２は画面７５を表示する。
【００３１】
画面７５において、印刷場所、連絡先、登録番号、登録データ、サイズ枚数および料金等の印刷予約の内容を表示し、利用者４はその内容を確認する。利用者４は正しいことを確認した場合、実行ボタンを選択する。実行ボタンが選択されると印刷データサーバ６は印刷予約管理データベース８の有効期限４４に印刷予約の有効期限、印刷経過４６に未印刷をそれぞれ格納する。次に、携帯端末１２に印刷予約受付完了の画面７６を表示して携帯端末１２による利用者４の印刷予約の操作を完了する。
【００３２】
Ｓ６０４：利用者４による印刷予約の操作が完了すると印刷データサーバ６は印刷予約管理データベース８の印刷予約番号４３、予約暗証４４、有効期限４５とともに印刷登録データベース７から検索した印刷データ３３をネットワークプリンタ１へ送信する。
Ｓ６０５：ネットワークプリンタ１は受信した印刷予約番号４３、予約暗証４４、有効期限４５および印刷データ３３を印刷予約データベース２に登録する。
【００３３】
Ｓ６０６：利用者４は印刷予約した店舗に出向きネットワークプリンタ１の利用者操作表示部２１で印刷予約番号、予約暗証等を入力し印刷予約した文書等を印刷する操作を行なう。このとき利用者４は印刷料金の支払いのためにＩＣカードをＩＣカードリーダライタ３にセットし、利用者操作表示部２１で印刷開始等の操作を行なう。
Ｓ６０７：ネットワークプリンタ１は入力された印刷予約番号および予約暗証と印刷予約データベース２に登録された印刷予約番号４３および予約暗証４４を照合し一致した場合は印刷予約データベース２の印刷データ３３を印刷する。なお、ネットワークプリンタ１は常に有効期限４５を監視しこの有効期限を経過した場合は印刷予約データベース２の印刷予約番号４３、予約暗証４４、有効期限４５および印刷データ３３を消去し、以後の利用者４による印刷操作を不可能にする。
【００３４】
Ｓ６０８：ネットワークプリンタ１が印刷を終了するとＩＣカードからＩＣカードリーダライタ３を介して料金を引き落とす交信を行う。ＩＣカードから料金を引き落とす交信が完了するとＩＣカードリーダライタ３にセットしたＩＣカードを利用者４に返却する。したがって、本実施例ではＩＣカードリーダライタ３が料金徴収手段となる。
Ｓ６０９：ここで利用者４は領収書が必要な場合は係員に領収書が必要な旨を申し出る。なお、利用者４が領収書を必要としない場合は終了する。
【００３５】
Ｓ６１０：係員により領収書の発行手続を行う。
このようにしてネットワークプリンタ１による文書等の印刷を行なう。
以上説明したように、第１の実施例では、利用者がネットワークプリントサービスを利用して書類を印刷する場合、利用者が印刷予約をしたときに印刷データを印刷データサーバからネットワークプリンタへダウンロードするため、ネットワークプリンタで印刷する操作を開始してから印刷が完了するまでの時間が短縮できるという効果が得られる。
【００３６】
また、利用者が利用料金を支払う場合、ＩＣカードの電子マネー機能を使用することにより小銭等の現金を用意する必要がなくなり手間がかからないという効果が得られる。さらに、利用者は予め銀行口座を登録しておく必要がなくなり手間がかからないという効果が得られる。
図８は本発明の第２の実施例を示すシステム構成のブロック図、図９は第２の実施例を示すフローチャートである。なお、上述した第１の実施例と同様の部分は、同一の符号を付してその説明を省略する。なお、図８の第２の実施例を示すシステム構成のブロック図は第１の実施例を示すシステム構成のブロック図からＩＣカードリーダライタ３を不要としたものである。
【００３７】
上述した構成の作用について図９の第２の実施例を示すフローチャートのＳで表すステップにしたがって説明する。
Ｓ９０１：登録者１１は端末１０においてウェブブラウザ等を使用し印刷する文書等の印刷データを印刷データサーバ６に登録する操作を行なう。端末１０はインターネット９を介して印刷する文書等の印刷データを印刷データサーバ６に送信する。
【００３８】
Ｓ９０２：印刷データを受信した印刷データサーバ６は登録番号および登録暗証を付与し印刷データとともに印刷登録データベース７に格納する。付与した登録番号および登録暗証は印刷登録データベース７の登録番号３１および登録暗証３２に格納すると共に端末１０に表示して登録者１１に知らせる。また、受信した印刷データは印刷データ３３に格納する。
【００３９】
Ｓ９０３：利用者４は登録者１１から上記登録番号と登録暗証を知得して携帯端末１２において印刷予約の操作を行なう。ここで、利用者４が行なう操作は第１の実施例Ｓ６０３と同様の操作なのでその説明を省略する。
Ｓ９０４：利用者４による印刷予約の操作が完了すると携帯端末１２は印刷料金の支払い画面を表示する。利用者４はその印刷料金の支払い画面からクレジットカードまたは銀行口座等の番号、暗証番号および金額を入力し、印刷料金の支払いを完了する。したがって、本実施例では携帯端末１２が料金徴収手段となる。
【００４０】
Ｓ９０５：利用者４による印刷予約の操作および印刷料金の支払い操作が完了すると印刷データサーバ６は印刷予約管理データベース８の印刷予約番号４３、予約暗証４４、有効期限４５とともに印刷登録データベース７から検索した印刷データ３３をネットワークプリンタ１へ送信する。
Ｓ９０６：ネットワークプリンタ１は受信した印刷予約番号４３、予約暗証４４、有効期限４５および印刷データ３３を印刷予約データベース２に登録する。
【００４１】
Ｓ９０７：利用者４は印刷予約した店舗に出向きネットワークプリンタ１の利用者操作表示部２１で印刷予約番号、予約暗証等を入力し印刷予約した文書等を印刷する操作を行なう。ネットワークプリンタ１は入力された印刷予約番号および予約暗証と印刷予約データベース２に登録された印刷予約番号４３および予約暗証４４を照合し一致した場合は印刷予約データベース２の印刷データ３３を印刷する。なお、ネットワークプリンタ１は常に有効期限４５を監視しこの有効期限を経過した場合は印刷予約データベース２の印刷予約番号４３、予約暗証４４、有効期限４５および印刷データ３３を消去し、以後の利用者４による印刷操作を不可能にする。
【００４２】
Ｓ９０８：ここで利用者４は領収書が必要な場合は係員に領収書が必要な旨を申し出る。なお、利用者４が領収書を必要としない場合は終了する。
Ｓ９０９：係員により領収書の発行手続を行う。
このようにしてネットワークプリンタ１による文書等の印刷を行なう。
以上説明したように、第２の実施例では、利用者がネットワークプリントサービスを利用して書類を印刷する場合、利用者が印刷予約をしたときに印刷データを印刷データサーバからネットワークプリンタへダウンロードするため、ネットワークプリンタで印刷する操作を開始してから印刷が完了するまでの時間が短縮できるという効果が得られる。
【００４３】
また、利用者が利用料金を支払う場合、事前に携帯端末を使用して料金の支払いができるため小銭等の現金を用意する必要がなくなり手間がかからないという効果が得られる。
さらに、ネットワークプリンタでの印刷時に料金の支払い操作が不要となるため不特定多数の利用客が存在するコンビニエンスストアで安全性を確保した上で短時間の操作で印刷できるという効果が得られる。
【００４４】
図１０は本発明の第３の実施例を示すシステム構成のブロック図、図１１は第３の実施例を示す自動取引装置のブロック図、図１２は第３の実施例を示す印刷予約管理データベースの説明図、図１３は第３の実施例を示すフローチャート、図１４は第３の実施例を示す自動取引装置に表示する取引選択画面の説明図、図１５は第３の実施例を示す自動取引装置に表示する払込方法選択画面の説明図、図１６は第３の実施例を示す自動取引装置に表示する暗証番号入力画面の説明図、図１７は第３の実施例を示す自動取引装置に表示する予約番号および予約暗証入力画面の説明図、図１８は第３の実施例を示す自動取引装置に表示する確認画面の説明図、図１９は第３の実施例を示す自動取引装置が発行する明細票の説明図である。なお、上述した第１の実施例および第２の実施例と同様の部分は、同一の符号を付してその説明を省略する。
【００４５】
図１０において、９１は自動取引装置であり、銀行等の金融機関の店舗９５またはコンビニエンスストア９２等に設置されるものである。この自動取引装置９１は利用者の操作により現金の入金取引、出金取引およびネットワークプリントサービスの使用料金支払い取引等ができるものである。また、専用線９３に通信可能に接続されている。
９６はホストコンピュータであり、銀行等の金融機関の事務センタ等に設置される。このホストコンピュータ９６は自動取引装置９１との間で入金、出金およびネットワークプリントサービスの使用料金支払い取引等の取引電文の送受信を行い利用者の取引を成立させるか否かを判断する。また、利用者の口座番号と利用者の暗証番号等で本人であるか否かの本人認証も行なう。なお、ホストコンピュータ９６は専用線９３を介して自動取引装置９１と相互に通信可能に接続されている。
【００４６】
９７は収納サーバであり、ネットワークプリンタ１の印刷で必要となる料金の請求とその料金の支払いを管理するサーバーコンピュータである。利用者４が印刷予約をするとその印刷料金の請求が発生したことをこの収納サーバ９７に登録し、利用者４が自動取引装置９１でその料金を支払ったときに支払いが完了したことを登録する。また、収納サーバ９７は公衆回線５を介してホストコンピュータ９６および印刷データサーバ６と相互に通信可能に接続されている。
【００４７】
なお、収納サーバ９７はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるものである。
【００４８】
図１１において、自動取引装置９１は利用者操作表示部１１１、カードリーダプリンタ部１１２、入出金部１１３、および制御部１１４を備えている。
利用者操作表示部１１１は、ＣＲＴディスプレイや液晶ディスプレイ等の表示部上にタッチパネルを配置し利用者が入力操作等を行なうものであり、また、取引選択画面、利用者が選択した取引に対して利用者の入力操作等の誘導を行なう画面および入力された情報等を表示するものである。
【００４９】
カードリーダプリンタ部１１２は、利用者がカード挿入口から挿入したカードの磁気ストライプまたはＩＣチップ等から口座番号等の利用者情報を読取り、また、利用者がした取引の内容を明細票に印刷するものである。口座番号等を読取ったカードはカード排出口から排出して利用者に返却し、また、取引内容を印刷した明細票は明細票排出口から排出して利用者に渡す。
【００５０】
入出金部１１３は、紙幣入出金機および硬貨入出金機で構成され、取引に伴う紙幣や硬貨の入出金処理を行なうものである。ここで、入金処理とは利用者が紙幣入出金口に入れた紙幣を紙幣入出金機で計数して金庫に収納し、硬貨入出金口に入れた硬貨を硬貨入出金機で計数して金庫に収納することである。また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００５１】
制御部１１４は、利用者操作表示部１１１、カードリーダプリンタ部１１２および入出金部１１３を含めて自動取引装置９１全体の動作を図示しない記憶部に格納されたソフトウェアに基づいて制御する。
１１５は取引処理部であり、自動取引装置９１が行なう入金、出金およびネットワークプリントサービスの使用料金支払い取引等を制御する手段である。
【００５２】
図１２において、１２１は料金支払であり、利用者４が印刷料金を支払ったか否かを記憶する。
上述した構成の作用について図１３の第３の実施例を示すフローチャートのＳで表すステップにしたがって説明する。
Ｓ１３０１：登録者１１は端末１０においてウェブブラウザ等を使用し印刷する文書等の印刷データを印刷データサーバ６に登録する操作を行なう。端末１０はインターネット９を介して印刷する文書等の印刷データを印刷データサーバ６に送信する。
【００５３】
Ｓ１３０２：印刷データを受信した印刷データサーバ６は登録番号および登録暗証を付与し印刷データとともに印刷登録データベース７に格納する。付与した登録番号および登録暗証は印刷登録データベース７の登録番号３１および登録暗証３２に格納すると共に端末１０に表示して登録者１１に知らせる。また、受信した印刷データは印刷データ３３に格納する。
【００５４】
Ｓ１３０３：利用者４は登録者１１から上記登録番号と登録暗証を知得して携帯端末１２において印刷予約の操作を行なう。ここで、利用者４が行なう操作は第１の実施例Ｓ６０３と同様の操作なのでその説明を省略する。
Ｓ１３０４：利用者４による印刷予約の操作が完了すると印刷データサーバ６は印刷予約管理データベース８の印刷予約番号４３、予約暗証４４、有効期限４５とともに印刷登録データベース７から検索した印刷データ３３をネットワークプリンタ１へ送信する。
【００５５】
Ｓ１３０５：ネットワークプリンタ１は受信した印刷予約番号４３、予約暗証４４、有効期限４５および印刷データ３３を印刷予約データベース２に登録する。
Ｓ１３０６：次に、利用者４は自動取引装置９１において印刷料金を支払う操作を行う。したがって、本実施例では自動取引装置９１が料金徴収手段となる。ここで、利用者４が自動取引装置９１において行う操作を説明する。
【００５６】
利用者４が自動取引装置９１に接近すると自動取引装置９１は図１４に示す取引選択画面１４１を利用者操作表示部１１１に表示する。利用者４はこの取引選択画面１４１のネットワークプリントサービスキー１４２を押下して、ネットワークプリントサービスの使用料金支払い取引を選択する。
利用者４がネットワークプリントサービスキー１４２を押下すると自動取引装置９１は図１５に示す払込方法選択画面１５１を利用者操作表示部１１１に表示する。利用者４は自己の銀行口座から印刷料金を支払う場合はキャッシュカードキー１５２、クレジットカードを使用して自己のクレジット口座から印刷料金を支払う場合はクレジットカードキー１５３、現金で支払う場合は現金キー１５４をそれぞれ押下する。
【００５７】
利用者４がキャッシュカードキー１５２を押下した場合はキャッシュカード、クレジットカードキー１５３を押下した場合はクレジットカードを自動取引装置９１の図示しないカード挿入口へ挿入する。利用者４がカードを挿入すると自動取引装置９１は図１６に示す暗証番号入力画面１６１を利用者操作表示部１１１に表示する。
利用者４は暗証番号入力画面１６１に表示された数字および訂正キー１６２を押下してキャッシュカードまたはクレジットカードの暗証番号を入力する。利用者４が暗証番号を入力すると自動取引装置９１は図１７に示す予約番号および予約暗証入力画面１７１を利用者操作表示部１１１に表示する。
【００５８】
利用者４は予約番号および予約暗証入力画面１７１に表示された数字および訂正キー１６２を押下してＳ１３０３の操作で表示された予約番号およびＳ１３０３の操作で設定した予約暗証を入力する。
利用者４が予約番号および予約暗証を入力すると自動取引装置９１は図１８に示す確認画面１８１を利用者操作表示部１１１に表示する。利用者４は表示された印刷予約の内容を確認し、印刷料金を支払う場合は払込キー１８２を押下する。また、確認した結果、支払わない場合は取消キー１８３を押下する。利用者４が払込キー１８２を押下すると所定の口座等から印刷料金の支払い操作が完了し、取消キー１８３を押下するとネットワークプリントサービスの使用料金支払い取引は取り消される。
【００５９】
利用者４が払込キー１８２を押下した場合は、カードリーダプリンタ部１１２で印刷した領収書である図１９に示す明細票１９１を明細票排出口から排出する。利用者４は排出された明細書１９１を受取る。なお、この明細書１９１には取扱金額、印刷場所、登録番号、予約番号、印刷予約有効期限等を印刷する。
なお、利用者４が現金キー１５４を押下した場合、暗証番号入力画面１６１は表示されず予約番号および予約暗証入力画面１７１が表示される。次に、利用者４が予約番号および予約暗証を入力すると自動取引装置９１は図１８に示す確認画面１８１を利用者操作表示部１１１に表示するが、ここで、払込キー１８２を押下すると紙幣および硬貨による入金が可能な払込取引を行なう。なお、この払込取引は釣銭を支払うことが可能な取引である。
【００６０】
Ｓ１３０７：このように印刷料金の支払い操作が完了すると自動取引装置９１はホストコンピュータ９６に印刷料金の支払いの電文が送信される。この電文を受信したホストコンピュータ９６は収納サーバ９７へ印刷料金の支払いの電文を送信する。この印刷料金の支払いの電文を受信した収納サーバ９７は印刷データサーバ６に備える印刷予約管理データベース８の料金支払１２１を支払い済みとする電文を印刷データサーバ６へ送信する。この電文を受信した印刷データサーバ６は印刷予約管理データベース８の料金支払１２１に支払い済みであることを登録する。
【００６１】
Ｓ１３０８：利用者４は印刷予約した店舗に出向きネットワークプリンタ１の利用者操作表示部２１で印刷予約番号、予約暗証等を入力し印刷予約した文書等を印刷する操作を行なう。ネットワークプリンタ１は入力された印刷予約番号および予約暗証と印刷予約データベース２に登録された印刷予約番号４３および予約暗証４４を照合し一致した場合であって、料金支払１２１が支払い済みである場合は印刷予約データベース２の印刷データ３３を印刷する。なお、ネットワークプリンタ１は常に有効期限４５を監視しこの有効期限を経過した場合は印刷予約データベース２の印刷予約番号４３、予約暗証４４、有効期限４５および印刷データ３３を消去し、以後の利用者４による印刷操作を不可能にする。
【００６２】
このようにしてネットワークプリンタ１による文書等の印刷を行なう。
以上説明したように、第３の実施例では、利用者がネットワークプリントサービスを利用して書類を印刷する場合、利用者が印刷予約をしたときに印刷データを印刷データサーバからネットワークプリンタへダウンロードするため、ネットワークプリンタで印刷する操作を開始してから印刷が完了するまでの時間が短縮できるという効果が得られる。
【００６３】
また、利用者が利用料金を支払う場合、自動取引装置を使用して事前に料金の支払いができるため、ネットワークプリンタでの印刷時に料金の支払い操作が不要となり不特定多数の利用客が存在するコンビニエンスストアで安全性を確保した上で短時間の操作で印刷できるという効果が得られる。
さらに、自動取引装置を使用して料金を支払うため、キャッシュカードやクレジットカード等の利用者が希望する支払い方法を選択することができるという効果も得られる。
【００６４】
またさらに、利用料金の払い込みの内容を印刷した明細書を領収書として発行することができるため、係員に申し出て領収書を発行してもらう必要がなくなり係員および利用者の手間がかからないという効果が得られる。
図２０は本発明の第４の実施例を示すシステム構成のブロック図、図２１は第４の実施例を示すフローチャートである。また、第４の実施例では、印刷予約管理データベース８の説明図は図１２である。なお、上述した第１の実施例、第２の実施例および第３の実施例と同様の部分は、同一の符号を付してその説明を省略する。
【００６５】
図２０において、１２は携帯端末であり、利用者４が所持する携帯電話やＰＨＳ（Ｐｅｒｓｏｎａｌ  Ｈａｎｄｙｐｈｏｎｅ  Ｓｙｓｔｅｍ）等である。この携帯端末１２により既に登録者１１が端末１０により印刷データサーバ６に登録した印刷データをコンビニエンスストアの場所等を指定して印刷の予約をすることができる。
さらに、この携帯端末１２はネットワークプリンタ１および自動取引装置９１と赤外線通信または非接触ＩＣ等により相互に無線通信が可能なものである。
【００６６】
上述した構成の作用について図２１の第４の実施例を示すフローチャートのＳで表すステップにしたがって説明する。
Ｓ２１０１：登録者１１は端末１０においてウェブブラウザ等を使用し印刷する文書等の印刷データを印刷データサーバ６に登録する操作を行なう。端末１０はインターネット９を介して印刷する文書等の印刷データを印刷データサーバ６に送信する。
【００６７】
Ｓ２１０２：印刷データを受信した印刷データサーバ６は登録番号および登録暗証を付与し印刷データとともに印刷登録データベース７に格納する。付与した登録番号および登録暗証は印刷登録データベース７の登録番号３１および登録暗証３２に格納すると共に端末１０に表示して登録者１１に知らせる。また、受信した印刷データは印刷データ３３に格納する。
【００６８】
Ｓ２１０３：利用者４は登録者１１から上記登録番号と登録暗証を知得して携帯端末１２において印刷予約の操作を行なう。ここで、利用者４が行なう操作は第１の実施例Ｓ６０３と同様の操作なのでその説明を省略する。
Ｓ２１０４：利用者４による印刷予約の操作が完了すると印刷データサーバ６は印刷予約管理データベース８の印刷予約番号４３、予約暗証４４、有効期限４５とともに印刷登録データベース７から検索した印刷データ３３をネットワークプリンタ１へ送信する。
【００６９】
Ｓ２１０５：ネットワークプリンタ１は受信した印刷予約番号４３、予約暗証４４、有効期限４５および印刷データ３３を印刷予約データベース２に登録する。
Ｓ２１０６：次に、利用者４は自動取引装置９１において印刷料金を支払う操作を行う。したがって、本実施例では自動取引装置９１が料金徴収手段となる。ここで、利用者４が自動取引装置９１において行う操作を説明する。
【００７０】
利用者４が自動取引装置９１に接近すると自動取引装置９１は図１４に示す取引選択画面１４１を利用者操作表示部１１１に表示する。利用者４はこの取引選択画面１４１のネットワークプリントサービスキー１４２を押下して、ネットワークプリントサービスの使用料金支払い取引を選択する。
利用者４がネットワークプリントサービスキー１４２を押下すると自動取引装置９１は図１５に示す払込方法選択画面１５１を利用者操作表示部１１１に表示する。ここで、利用者４は携帯端末１２を自動取引装置９１と無線通信が可能な所定な位置にセットする。利用者４は自己の銀行口座から印刷料金を支払う場合はキャッシュカードキー１５２、クレジットカードを使用して印刷料金を支払う場合はクレジットカードキー１５３、現金で支払う場合は現金キー１５４をそれぞれ押下する。
【００７１】
利用者４がキャッシュカードキー１５２を押下した場合はキャッシュカード、クレジットカードキー１５３を押下した場合はクレジットカードを自動取引装置９１の図示しないカード挿入口へ挿入する。利用者４がカードを挿入すると自動取引装置９１は図１６に示す暗証番号入力画面１６１を利用者操作表示部１１１に表示する。
利用者４は暗証番号入力画面１６１に表示された数字および訂正キー１６２を押下してキャッシュカードまたはクレジットカードの暗証番号を入力する。利用者４が暗証番号を入力すると自動取引装置９１は図１７に示す予約番号および予約暗証入力画面１７１を利用者操作表示部１１１に表示する。
【００７２】
利用者４は予約番号および予約暗証入力画面１７１に表示された数字および訂正キー１６２を押下してＳ１３０３の操作で表示された予約番号およびＳ１３０３の操作で入力した予約暗証を入力する。
利用者４が予約番号および予約暗証を入力すると自動取引装置９１は図１８に示す確認画面１８１を利用者操作表示部１１１に表示する。利用者４は表示された印刷予約の内容を確認し、印刷料金を支払う場合は払込キー１８２を押下する。また、確認した結果、支払わない場合は取消キー１８３を押下する。利用者４が払込キー１８２を押下すると所定の口座等から印刷料金の支払い操作が完了し、取消キー１８３を押下するとネットワークプリントサービスの使用料金支払い取引は取り消される。
【００７３】
利用者４が払込キー１８２を押下した場合は、カードリーダプリンタ部１１２で印刷した領収書である図１９に示す明細票１９１を明細票排出口から排出する。利用者４は排出された明細書１９１を受取る。この明細書１９１には取扱金額、印刷場所、登録番号、予約番号、印刷予約有効期限等を印刷する。
なお、利用者４が現金キー１５４を押下した場合、暗証番号入力画面１６１は表示されず予約番号および予約暗証入力画面１７１が表示される。次に、利用者４が予約番号および予約暗証を入力すると自動取引装置９１は図１８に示す確認画面１８１を利用者操作表示部１１１に表示するが、ここで、払込キー１８２を押下すると紙幣および硬貨による入金が可能な払込取引を行なう。なお、この払込取引は釣銭を支払うことが可能な取引である。
【００７４】
Ｓ２１０７：このように印刷料金の支払い操作が完了すると自動取引装置９１はホストコンピュータ９６に印刷料金の支払いの電文が送信される。この電文を受信したホストコンピュータ９６は収納サーバ９７へ印刷料金の支払いの電文を送信する。この印刷料金の支払いの電文を受信した収納サーバ９７は印刷データサーバ６に備える印刷予約管理データベース８の料金支払１２１を支払い済みとする電文を印刷データサーバ６へ送信する。この電文を受信した印刷データサーバ６は印刷予約管理データベース８の料金支払１２１に支払い済みであることを登録する。
【００７５】
さらに、自動取引装置９１は携帯端末１２へ無線通信を介して印刷予約番号および印刷料金の払込済みデータとして領収書のデータ等を送信し、受信した携帯端末１２は記憶部に印刷予約番号および印刷料金の払込済みデータとして領収書のデータ等を記憶する。
Ｓ２１０８：利用者４は印刷予約した店舗に出向きネットワークプリンタ１に印刷予約番号および印刷料金の払込済みデータとして領収書のデータ等を記憶した携帯端末１２を無線通信が可能な所定な位置にセットする。ネットワークプリンタ１は携帯端末１２から印刷予約番号を読取り、また、利用者４はネットワークプリンタ１の利用者操作表示部２１で予約暗証等を入力し印刷予約した文書等を印刷する操作を行なう。ネットワークプリンタ１は入力等された印刷予約番号および予約暗証と印刷予約データベース２に登録された印刷予約番号４３および予約暗証４４を照合し一致した場合であって、料金支払１２１が支払い済みである場合は印刷予約データベース２の印刷データ３３を印刷する。なお、ネットワークプリンタ１は常に有効期限４５を監視しこの有効期限を経過した場合は印刷予約データベース２の印刷予約番号４３、予約暗証４４、有効期限４５および印刷データ３３を消去し、以後の利用者４による印刷操作を不可能にする。
【００７６】
このようにしてネットワークプリンタ１による文書等の印刷を行なう。
以上説明したように、第４の実施例では、利用者がネットワークプリントサービスを利用して書類を印刷する場合、利用者が印刷予約をしたときに印刷データを印刷データサーバからネットワークプリンタへダウンロードするため、ネットワークプリンタで印刷する操作を開始してから印刷が完了するまでの時間が短縮できるという効果が得られる。
【００７７】
また、利用者が利用料金を支払う場合、自動取引装置を使用して事前に料金の支払いができるため、ネットワークプリンタでの印刷時に料金の支払い操作が不要となり不特定多数の利用客が存在するコンビニエンスストアで安全性を確保した上で短時間の操作で印刷できるという効果が得られる。
さらに、自動取引装置を使用して料金を支払うため、キャッシュカードやクレジットカード等の利用者が希望する支払い方法を選択することができるという効果も得られる。
【００７８】
また、利用料金の払い込みの内容を印刷した明細書を領収書として発行することができるため、係員に申し出て領収書を発行してもらう必要がなくなり係員および利用者の手間がかからないという効果が得られる。
さらに、利用者は、携帯端末に記憶させた印刷予約番号等をネットワークプリンタで読取らせることにより入力操作が不要になり、確実かつ短時間でネットワークプリンタの操作を終了することができるという効果が得られる。
【００７９】
またさらに、ネットワークプリンタは携帯端末から受信した印刷予約番号をもとに印刷を行なうため、支払い済みである印刷料金の明細票を他人が拾得してもその他人は印刷することができず情報の安全性を確保できるという効果が得られる。
図２２は本発明の第５の実施例を示すシステム構成のブロック図、図２３は第５の実施例を示すフローチャートである。また、第５の実施例では、印刷予約管理データベース８の説明図は図１２である。なお、上述した第１の実施例、第２の実施例、第３の実施例および第４の実施例と同様の部分は、同一の符号を付してその説明を省略する。
【００８０】
図２２において、２２１はインターネット中継サーバであり、銀行等の金融機関の事務センタ等に設置されるものである。このインターネット中継サーバ２２１は専用線９３で接続された自動取引装置９１を印刷データサーバ６にインターネット９を介して接続するためのものである。また、ウェブサーバ機能等を有し、自動取引装置９１に印刷データサーバ６が有するアプリケーションプログラムの実行や各種サービスを提供することができる。
【００８１】
上述した構成の作用について図２３の第５の実施例を示すフローチャートのＳで表すステップにしたがって説明する。
Ｓ２３０１：登録者１１は端末１０においてウェブブラウザ等を使用し印刷する文書等の印刷データを印刷データサーバ６に登録する操作を行なう。端末１０はインターネット９を介して印刷する文書等の印刷データを印刷データサーバ６に送信する。
【００８２】
Ｓ２３０２：印刷データを受信した印刷データサーバ６は登録番号および登録暗証を付与し印刷データとともに印刷登録データベース７に格納する。付与した登録番号および登録暗証は印刷登録データベース７の登録番号３１および登録暗証３２に格納すると共に端末１０に表示して登録者１１に知らせる。また、受信した印刷データは印刷データ３３に格納する。
【００８３】
Ｓ２３０３：利用者４は登録者１１から上記登録番号と登録暗証を知得して自動取引装置９１において印刷予約の操作を行なう。したがって、本実施例においては自動取引装置９１が印刷予約手段となる。
利用者４は自動取引装置９１の利用者操作表示部１１１に表示される誘導画面にしたがって、印刷する文書等の登録番号および登録暗証を入力するとその登録番号および登録暗証は印刷データサーバ６に送信される。印刷データサーバ６は受信した登録番号および登録暗証と印刷登録データベース７の登録番号３１および登録暗証３２を照合する。一致した場合は利用者４による印刷予約を受け付け、不一致の場合は印刷予約を拒否する。印刷予約を受け付けると自動取引装置９１の利用者操作表示部１１１に印刷場所を検索する画面を表示する。
【００８４】
次に、利用者４は印刷場所の住所を入力し検索ボタンを選択する。自動取引装置９１は入力された住所を印刷データサーバ６に送信し、それを受信した印刷データサーバ６は入力された住所付近に存在するコンビニエンスストアの店舗名を検索する。印刷データサーバ６は検索した結果を自動取引装置９１へ送信し、受信した自動取引装置９１はその結果を利用者操作表示部１１１に表示する。
【００８５】
次に、利用者４が店舗を選択するとその情報が印刷データサーバ６に送信される。印刷データサーバ６は受信した店舗の店番を印刷登録データベース７の印刷店舗４１に格納する。
次に、利用者４は予約暗証を設定し入力するとその予約暗証が印刷データサーバ６に送信される。印刷データサーバ６は受信した予約暗証を印刷登録データベース７の予約暗証４４に格納する。
【００８６】
次に、印刷場所、連絡先、登録番号、登録データ、サイズ枚数および料金等の印刷予約の内容を表示し、利用者４はその内容を確認する。利用者４は正しいことを確認した場合、実行ボタンを選択する。実行ボタンが選択されると印刷データサーバ６は印刷予約管理データベース８の有効期限４４に印刷予約の有効期限、印刷経過４６に未印刷をそれぞれ格納する。次に、自動取引装置９１の利用者操作表示部１１１に印刷予約受付完了の画面を表示して自動取引装置９１による利用者４の印刷予約の操作を完了する。
【００８７】
Ｓ２３０４：利用者４による印刷予約の操作が完了すると印刷データサーバ６は印刷予約管理データベース８の印刷予約番号４３、予約暗証４４、有効期限４５とともに印刷登録データベース７から抽出した印刷データ３３をネットワークプリンタ１へ送信する。
Ｓ２３０５：ネットワークプリンタ１は受信した印刷予約番号４３、予約暗証４４、有効期限４５および印刷データ３３を印刷予約データベース２に登録する。
【００８８】
Ｓ２３０６：次に、利用者４は自動取引装置９１において印刷料金を支払う操作を行う。ここで、利用者４が自動取引装置９１において行う操作は第３の実施例のＳ１３０６と同様であるので説明を省略する。したがって、第３の実施例と同様に本実施例では自動取引装置９１が料金徴収手段となる。
Ｓ２３０７：このように印刷料金の支払い操作が完了すると自動取引装置９１はホストコンピュータ９６に印刷料金の支払いの電文が送信される。この電文を受信したホストコンピュータ９６は収納サーバ９７へ印刷料金の支払いの電文を送信する。この印刷料金の支払いの電文を受信した収納サーバ９７は印刷データサーバ６に備える印刷予約管理データベース８の料金支払１２１を支払い済みとする電文を印刷データサーバ６へ送信する。この電文を受信した印刷データサーバ６は印刷予約管理データベース８の料金支払１２１に支払い済みであることを登録する。
【００８９】
Ｓ２３０８：利用者４は印刷予約した店舗に出向きネットワークプリンタ１の利用者操作表示部２１で印刷予約番号、予約暗証等を入力し印刷予約した文書等を印刷する操作を行なう。ネットワークプリンタ１は入力された印刷予約番号および予約暗証と印刷予約データベース２に登録された印刷予約番号４３および予約暗証４４を照合し一致した場合であって、料金支払１２１が支払い済みである場合は印刷予約データベース２の印刷データ３３を印刷する。なお、ネットワークプリンタ１は常に有効期限４５を監視しこの有効期限を経過した場合は印刷予約データベース２の印刷予約番号４３、予約暗証４４、有効期限４５および印刷データ３３を消去し、以後の利用者４による印刷操作を不可能にする。
【００９０】
このようにしてネットワークプリンタ１による文書等の印刷を行なう。
以上説明したように、第５の実施例では、利用者がネットワークプリントサービスを利用して書類を印刷する場合、利用者が印刷予約をしたときに印刷データを印刷データサーバからネットワークプリンタへダウンロードするため、ネットワークプリンタで印刷する操作を開始してから印刷が完了するまでの時間が短縮できるという効果が得られる。
【００９１】
また、利用者が利用料金を支払う場合、自動取引装置を使用して事前に料金の支払いができるため、ネットワークプリンタでの印刷時に料金の支払い操作が不要となり不特定多数の利用客が存在するコンビニエンスストアで安全性を確保した上で短時間の操作で印刷できるという効果が得られる。
さらに、自動取引装置を使用して料金を支払うため、キャッシュカードやクレジットカード等の利用者が希望する支払い方法を選択することができるという効果も得られる。
【００９２】
また、利用料金の払い込みの内容を印刷した明細書を領収書として発行することができるため、係員に申し出て領収書を発行してもらう必要がなくなり係員および利用者の手間がかからないという効果が得られる。
さらに、利用者は、携帯端末の操作を必要とせず自動取引装置で印刷予約、印刷料金の支払いおよび領収書の発行という一連の操作を一箇所で行うことができ、利便性が向上するという効果が得られる。
【図面の簡単な説明】
【００９３】
【図１】第１の実施例を示すシステム構成のブロック図
【図２】第１の実施例を示すネットワークプリンタのブロック図
【図３】第１の実施例を示す印刷登録データベースの説明図
【図４】第１の実施例を示す印刷予約管理データベースの説明図
【図５】第１の実施例を示す印刷予約データベースの説明図
【図６】第１の実施例を示すフローチャート
【図７】第１の実施例を示す携帯端末の操作画面の説明図
【図８】第２の実施例を示すシステム構成のブロック図
【図９】第２の実施例を示すフローチャート
【図１０】第３の実施例を示すシステム構成のブロック図
【図１１】第３の実施例を示す自動取引装置のブロック図
【図１２】第３の実施例を示す印刷予約管理データベースの説明図
【図１３】第３の実施例を示すフローチャート
【図１４】第３の実施例を示す自動取引装置に表示する取引選択画面の説明図
【図１５】第３の実施例を示す自動取引装置に表示する払込方法選択画面の説明図
【図１６】第３の実施例を示す自動取引装置に表示する暗証番号入力画面の説明図
【図１７】第３の実施例を示す自動取引装置に表示する予約番号および予約暗証入力画面の説明図
【図１８】第３の実施例を示す自動取引装置に表示する確認画面の説明図
【図１９】第３の実施例を示す自動取引装置が発行する明細票の説明図
【図２０】第４の実施例を示すシステム構成のブロック図
【図２１】第４の実施例を示すフローチャート
【図２２】第５の実施例を示すシステム構成のブロック図
【図２３】第５の実施例を示すフローチャート
【符号の説明】
【００９４】
１    ネットワークプリンタ
２    印刷予約データベース
３    ＩＣカードリーダライタ
４    利用者
５    公衆回線
６    印刷データサーバ
７    印刷登録データベース
８    印刷予約管理データベース
９    インターネット
１０  端末
１１  登録者
１２  携帯端末
２１  利用者操作表示部
２２  印刷部
２３  ＩＣカードリーダライタ通信部
２４  記憶部
２５  制御部
２５１  印刷データ編集部
２６  通信部
３１  登録番号
３２  登録暗証
３３  印刷データ
４１  印刷店舗
４３  印刷予約番号
４４  予約暗証
４５  有効期限
４６  印刷経過
９１  自動取引装置
９３  専用線
９６  ホストコンピュータ
９７  収納サーバ
１１１  利用者操作表示部
１１２  カードリーダプリンタ部
１１３  入出金部
１１４  制御部
１１５  取引処理部
１２１  料金支払
２２１  インターネット中継サーバ
【図１】
2006155259.tif 000003
【図２】
2006155259.tif 000004
【図３】
2006155259.tif 000005
【図４】
2006155259.tif 000006
【図５】
2006155259.tif 000007
【図６】
2006155259.tif 000008
【図７】
2006155259.tif 000009
【図８】
2006155259.tif 000010
【図９】
2006155259.tif 000011
【図１０】
2006155259.tif 000012
【図１１】
2006155259.tif 000013
【図１２】
2006155259.tif 000014
【図１３】
2006155259.tif 000015
【図１４】
2006155259.tif 000016
【図１５】
2006155259.tif 000017
【図１６】
2006155259.tif 000018
【図１７】
2006155259.tif 000019
【図１８】
2006155259.tif 000020
【図１９】
2006155259.tif 000021
【図２０】
2006155259.tif 000022
【図２１】
2006155259.tif 000023
【図２２】
2006155259.tif 000024
【図２３】
2006155259.tif 000025